(57)【特許請求の範囲】
【請求項１】
電源線、データ線及び制御線を有する接続端子を有し、携帯型情報機器からのデータをデータ線と制御線とを介して転送可能な収容部に接続される携帯型情報機器において、
電源線、データ線及び制御線を有する携帯型情報機器の接続端子と、
前記携帯型情報機器の接続端子の電源線のバイアス状態に応じて、前記収容部への接続状態を検知する手段と、
外部から通知されたイベント情報の発生に伴ない、前記検知された収容部への接続状態に応じて、ユーザの携帯型情報機器の使用状況を判断する手段とを具備し、
前記判断された使用状況に従い、前記イベント情報の発生を無視することを設定している場合、前記携帯型情報機器は前記イベント情報の発生をユーザに通知しないことを特徴とする携帯型情報機器。
【請求項２】
前記収容部の接続端子は、さらに、ダミー線を有することを特徴とする請求項１記載の携帯型情報機器。
【請求項３】
前記収容部の制御線が前記携帯型情報機器の制御線になり、前記収容部のデータ線が前記携帯型情報機器のデータ線となるように配線の切り換えを行なう手段をさらに具備することを特徴とする請求項２記載の携帯型情報機器。
【請求項４】
前記イベント情報の発生は、電話の着信及びメールの着信のいずれかであることを特徴とする請求項１記載の携帯型情報機器。
【請求項５】
前記携帯型情報機器は、充電中であることを特徴とする請求項１記載の携帯型情報機器。
【請求項６】
電源線、データ線及び制御線を有する接続端子を有し、携帯型情報機器からのデータをデータ線と制御線とを介して転送可能な収容部と、
電源線、データ線及び制御線を有する携帯型情報機器の接続端子と、前記携帯型情報機器の接続端子の電源線のバイアス状態に応じて、前記収容部への接続状態を検知する手段と、外部から通知されたイベント情報の発生に伴ない、前記検知された収容部への接続状態に応じて、ユーザの携帯型情報機器の使用状況を判断する手段とを有する携帯型情報機器と
を具備し、
前記携帯型情報機器は、前記判断された使用状況に従い、前記イベント情報の発生を無視することを設定している場合、前記イベント情報の発生をユーザに通知しないことを特徴とする携帯型情報システム。
【発明の詳細な説明】
【０００１】
【発明の属する技術分野】
本発明は、ＰＤＡ、携帯電話などの携帯型情報機器及び携帯型情報機器における情報通知方法に関する。
【０００２】
【従来の技術】
近年、携帯電話の普及が著しいが、この携帯電話においては、充電器に装着されているか否かによって着信の制御を変えている。具体的には、例えば、携帯電話を充電器に装着している場合には、着信を音及びメッセージで知らせるとともに、携帯電話を充電器に装着していない場合には、着信を携帯電話自体をバイブレーションさせることにより知らせている。
【０００３】
一方、特開平５−１６７６５８号公報には、移動体機器における表示灯の点灯制御装置が開示されている。
【０００４】
この点灯制御装置は、移動体機器がクレードルから取り上げられている場合において、周囲が暗くなっている場合にのみ表示灯を点灯するようにして、内蔵の充電式電池の消耗を極力抑えることを特徴とするものである。
【０００５】
【発明が解決しようとする課題】
しかしながら、上述の携帯電話の着信制御においては、携帯電話の充電器への装着／非装着によって制御方法を変えるものであるが、携帯電話を充電器に装着している場合に、着信の通知方法を変えことはできない。したがって、例えば、携帯電話を充電器に装着している場合であっても、夜間の場合において音声によって通知して欲しくない場合などの場合に対処することができないという問題があった。
【０００６】
同様に、特開平５−１６７６５８号公報に開示された移動体機器における表示灯の点灯制御装置においても、クレードルへ移動体機器を装着した場合には、着信の通知方法を変えることができないという問題があった。
【０００７】
本発明は、上記実情に鑑みてなされたものであり、収容部に接続する状態に応じて、外部から通知されたイベント情報の発生を無視することのできる携帯型情報機器を提供することを目的とする。
【０００８】
【課題を解決するための手段】
したがって、まず、上記目的を達成するために、本発明の第１の発明は、電源線、データ線及び制御線を有する接続端子を有し、携帯型情報機器からのデータをデータ線と制御線とを介して転送可能な収容部に接続される携帯型情報機器において、電源線、データ線及び制御線を有する携帯型情報機器の接続端子と、前記携帯型情報機器の接続端子の電源線のバイアス状態に応じて、前記収容部への接続状態を検知する手段と、外部から通知されたイベント情報の発生に伴ない、前記検知された収容部への接続状態に応じて、ユーザの携帯型情報機器の使用状況を判断する手段とを具備し、前記判断された使用状況に従い、前記イベント情報の発生を無視することを設定している場合、前記携帯型情報機器は前記イベント情報の発生をユーザに通知しないことを特徴とする携帯型情報機器、である。
また、本発明の第２の発明は、電源線、データ線及び制御線を有する接続端子を有し、携帯型情報機器からのデータをデータ線と制御線とを介して転送可能な収容部と、電源線、データ線及び制御線を有する携帯型情報機器の接続端子と、前記携帯型情報機器の接続端子の電源線のバイアス状態に応じて、前記収容部への接続状態を検知する手段と、外部から通知されたイベント情報の発生に伴ない、前記検知された収容部への接続状態に応じて、ユーザの携帯型情報機器の使用状況を判断する手段とを有する携帯型情報機器とを具備し、前記携帯型情報機器は、前記判断された使用状況に従い、前記イベント情報の発生を無視することを設定している場合、前記イベント情報の発生をユーザに通知しないことを特徴とする携帯型情報システム、である。
【００１６】
【発明の実施の形態】
以下、図面を参照して本発明の実施の形態に係るＰＤＡ（Personal Digital Assistants)について説明する。
【００１７】
図１は、本発明の一実施の形態に係るＰＤＡの斜視図である。
【００１８】
同図に示すように、本実施の形態のＰＤＡ１の表面には、ＬＣＤ（Ｌｉｑｕｉｄ  Ｃｒｙｓｔａｌ  Ｄｉｓｐｌａｙ）２、キー入力部３が設けられている。また、ＰＤＡ１の底面には、クレードルの端子との接続を行なうための端子４ａ，４ｂがそれぞれ左右に配設されている。
【００１９】
図２は、クレードルを示す図である。
【００２０】
同図に示すように、クレードル１１は、ＰＤＡ１を支えるための垂直板１１ａと、この垂直板１１ａに対して直交する方向に伸びる底面版１１ｂとを有している。底面板１１ｂの上面には、ＰＤＡ１の端子４ａ、４ｂに接続するための端子１２が設けられている。
【００２１】
この端子１２とＰＤＡ１の端子４ａ，４ｂとは、図８に示すように、電源線、データ線及び制御線を有しており、電源については、図２に示す底面板１１ｂの側面から延出された電源線１３から供給され、データ及び制御信号については、シリアルバス、ＵＳＢバスなどのデータ線１４によって接続されるパーソナルコンピュータから供給される。
【００２２】
図３は、本発明の一実施の形態に係る携帯型情報機器の機能ブロック図である。
【００２３】
同図に示すように、本実施の形態の携帯型情報機器は、電話着信検出部２０、接続状態検出部２１、通知方法決定部２２、通知部２３、音声出力制御部２４、表示制御部２５、スピーカ２６、ＬＣＤ２７、データ格納部２８及び振動制御部２９を有している。
【００２４】
電話着信検出部２０は、自己宛の電話の着信を検出する。
【００２５】
接続状態検出部２１は、クレードル１１の端子１２がどの端子４ａ，４ｂに接続されているかを検出するものである。すなわち、端子４ａにクレードル１１の端子１２が接続されている場合には、ＰＤＡ１が図４に示すように、ＬＣＤ２が前面側になるように載置された状態であることが検出され、端子４ｂにクレードル１１の端子１２が接続されている場合には、ＰＤＡ１が図５に示すように、ＬＣＤ１が奥になるように配置された状態であることが検出される。
【００２６】
通知方法決定部２２は、電話着信検出部２０によって電話の着信が検出された場合に、接続状態検出部２１によって検出された接続状態に基づいて、ユーザへの通知方法を決定するものである。
【００２７】
通知部２３は、通知方法決定部２２によって決定された通知方法を音声出力制御部２４及び表示制御部２５に通知する。
【００２８】
音声出力制御部２４は、通知部２３によって通知された通知方法にしたがって、データ格納部２８に格納された音声データを再生し、スピーカ２６から音声を出力する。
【００２９】
表示制御部２５は、通知部２３によって通知された通知方法にしたがって、データ格納部２８に格納された表示データをＬＣＤ２７に表示する。
【００３０】
データ格納部２８は、音声出力制御部２４によって使用される音声データ及び表示制御部２５によって使用される表示データを格納する。
【００３１】
振動制御部２９は、通知部２３によって通知された通知方法にしたがって、ＰＤＡ自体の振動制御を行なうものである。
【００３２】
次に、本実施の形態に係るＰＤＡの動作について、図６のフローチャートを参照して説明する。
【００３３】
まず、電話の着信があるか否かの判断が電話着信検出部２０によって行なわれ（Ｓ１）、電話の着信があると判断された場合には、次に、接続状態検出部２１によって接続状態の検出が行なわれる（Ｓ２）。
【００３４】
そして、接続状態検出部２１によって検出された接続状態が、端子４ａにクレードルの端子が接続されてい場合には、ＬＣＤにメッセージを表示し、スピーカ２６から音声を出力する（Ｓ４）。
【００３５】
具体的には、通知方法決定部２２によって、ＬＣＤにメッセージを表示し、音声を出力する旨の通知方法が決定され、この決定された通知方法が、通知部２３によって音声出力制御部２４及び表示制御部２５に通知される。そして、音声出力制御部２４は、データ格納部２８に格納された音声データを再生して、スピーカ２６から出力する。また、表示制御部２５は、データ格納部２８に格納された表示データに基づいて、ＬＣＤ２７にメッセージの表示を行なう。
【００３６】
一方、Ｓ３において、端子４ａにクレードルの端子が接続されていないと判断された場合には、次に、端子４ｂにクレードルの端子が接続されているか否かの判断が行なわれる（Ｓ５）。
【００３７】
Ｓ５において、端子４ｂにクレードルの端子が接続されていると判断された場合には、電話の着信を無視する（Ｓ６）。すなわち、この場合には、ＰＤＡのＬＣＤを後ろ向きにしてクレードルに装着されている場合である。ユーザは、例えば、就寝前に、このような状態でＰＤＡをクレードルに装着することによって、睡眠を妨げられないですむ。
【００３８】
一方、Ｓ５において、端子４ｂにクレードルの端子が接続されていないと判断された場合、すなわち、ＰＤＡがクレードルに装着されていない場合には、ＬＣＤにメッセージを表示、スピーカら音声を出力、及びＰＤＡのバイブレーションを行なう。
【００３９】
具体的には、通知方法決定部２２によって、ＬＣＤにメッセージを表示し、音声を出力する旨の通知方法が決定され、この決定された通知方法が、通知部２３によって音声出力制御部２４及び表示制御部２５に通知される。そして、音声出力制御部２４は、データ格納部２８に格納された音声データを再生して、スピーカ２６から出力する。また、表示制御部２５は、データ格納部２８に格納された表示データに基づいて、ＬＣＤ２７にメッセージの表示を行なう。さらに、振動制御部２９は、通知部２３によって通知された通知方法に従って、ＰＤＡのバイブレーションを行なう。
【００４０】
したがって、本実施の形態の携帯型情報機器によれば、クレードルへの装着状態によって、ユーザに知らせるべき事項（例えば、電話の着信、メールの受信、スケジュールプログラムの設定時刻アラームなど）の通知方法を変えることができるので、ユーザの使用状態において適切に通知を行なうことができる。
【００４１】
なお、上述の実施の形態においては、電話を着信した場合についての通知方法について説明したが、これに限られるものではない。すなわち、ユーザに知らせるべき事項であれば良く、例えば、スケジュール管理用プログラムの設定時刻アラーム、メールの受信などであってもよい。
【００４２】
また、上述の実施の形態においては、ＰＤＡに複数の端子を設け、これら端子へのクレードルの端子の接続状態に基づいて、ユーザへの通知方法を変える場合について説明したが、接続状態の判断方法は、これに限られるものではない。
【００４３】
例えば、ＰＤＡ側にも１つの端子、クレードルにも１つの端子を設け、その端子の配線構造を図７に示すような形態にしておく。具体的には、図７に示すように、ＰＤＡ側の端子には、両側に電源線を設け、クレードル側の端子には、電源線及びダミーラインを設ける。このような配線構造を採用することにより、クレードルの取り付け状態を、電源線のバイアスを観察することにより、判断することができる。
【００４４】
なお、図７に示すような構造を採用した場合、ＰＤＡ側のデータ線及び制御線は、装着状態によって内部的に切り替えられる。すなわち、図７に示した状態がＰＤＡのＬＣＤを表向きに装着した場合を示しているとすると、ＰＤＡのＬＣＤを裏面に向けて装着した場合には、クレードルの制御線に対応する配線が制御線になり、クレードルのデータ線に該当する配線がデータ線となるようにＰＤＡの内部において配線の切り替えが行なわれる。このような構成を採用することにより、ＰＤＡが１つの端子しか有しない場合であっても、装着状態を認識することができるとともに、ＰＤＡのデータ線及び制御線とクレードルのデータ線及び制御線との整合性もとれる。
【００４５】
さらに、本実施の形態においては、ＰＤＡを垂直に立てる場合について説明したが、ＰＤＡを水平に倒した状態でクレードルに収容する場合についても、その装着状態を判別することが可能である。この場合、例えば、クレードル背面に検出スイッチを設け、この検出スイッチがオンになった場合にはクレードルのＬＣＤが表面を向いて装着されていると判断し、検出スイッチがオフの場合には、ＰＤＡが裏向きに装着されていると判断することができる。
【００４６】
すなわち、本実施の形態においては、ＰＤＡのクレードルへの装着状態の検出方法は種々考えられる。
【００４７】
なお、本願発明は、上記各実施形態に限定されるものでなく、実施段階ではその要旨を逸脱しない範囲で種々に変形することが可能である。また、各実施形態は可能な限り適宜組み合わせて実施してもよく、その場合組み合わされた効果が得られる。さらに、上記各実施形態には種々の段階の発明が含まれており、開示される複数の構成要件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【００４８】
【発明の効果】
以上詳記したように、本発明によれば、収容部に接続する状態に応じて、ユーザが携帯型情報機器の外部から通知されたイベント情報の発生を無視することを設定している場合、携帯型情報機器は、当該イベント情報の発生をユーザに通知しないことにより、就寝中の着信などによってユーザが睡眠を妨げられることがない。
【図面の簡単な説明】
【図１】本発明の一実施の形態に係るＰＤＡの斜視図である。
【図２】クレードルを示す図である。
【図３】本発明の一実施の形態に係る携帯型情報機器の機能ブロック図である。
【図４】ＰＤＡのクレードルへの装着状態を示す図である。
【図５】ＰＤＡのクレードルへの装着状態を示す図である。
【図６】本実施の形態に係るＰＤＡの動作について説明するためのフローチャートである。
【図７】クレードルの端子と、ＰＤＡの端子との配線構造を示す図である。
【図８】クレードルの端子と、ＰＤＡの端子との配線構造を示す図である。
【符号の説明】
１…ＰＤＡ、
２…ＬＣＤ，
３…キー入力部、
４ａ，４ｂ…ＰＤＡの端子、
１１…クレードル、
１１ａ…垂直版、
１１ｂ…底面板、
１２…クレードルの端子、
１３…電源線、
１４…データ線、
２０…電話着信検出部、
２１…接続状態検出部、
２２…通知方法決定部、
２３…通知部、
２４…音声出力制御部、
２５…表示制御部、
２６…スピーカ、
２７…ＬＣＤ、
２８…データ格納部、
２９…振動制御部。
【図１】
0003769202.tif 000002
【図２】
0003769202.tif 000003
【図３】
0003769202.tif 000004
【図４】
0003769202.tif 000005
【図５】
0003769202.tif 000006
【図６】
0003769202.tif 000007
【図７】
0003769202.tif 000008
【図８】
0003769202.tif 000009